(57)【要約】本発明は、色選択マスクを有するカラー陰極線管に係る。該マスクは、金属のフレームの内側で少なくとも１つの方向に伸長される。前述の金属のフレームは、衝撃吸収手段を備えられる。該手段は、少なくとも２つの対向する側部上に位置決めされ、マスクの振動を削減するようにされ、また、自由に動くことができる部分を有するキャビティを有する。
2006528832.tif 000002
【特許請求の範囲】
【請求項１】
色選択マスクを有する陰極線管であって、
前記マスクは、金属のシートの形状であり、略矩形の形のフレーム組立体上に固定されるよう適合され、
前記フレームは、一組の短く平行である側部と、一組の長く平行である側部を有し、
前記フレームは、少なくとも一組の平行な側部が夫々内部で少なくとも１つの金属の部分が動くことができる少なくとも１つのキャビティを夫々有することを特徴とする、
陰極線管。
【請求項２】
前記マスクは、加圧することによって形成される、ことを特徴とする請求項１記載の陰極線管。
【請求項３】
前記マスクは、少なくとも１つの方向に従って前記フレーム組立体によって張力をかけられた状態に保持される、ことを特徴とする請求項１記載の陰極線管。
【請求項４】
前記キャビティは、前記フレームの前記側部を構成する材料をスタンピングすることによって実現される、ことを特徴とする請求項１記載の陰極線管。
【請求項５】
前記キャビティは、前記フレームの前記側部上に一体化される追加的なユニットによって構成される、ことを特徴とする請求項１記載の陰極線管。
【請求項６】
前記平行である夫々の側部上の前記動く部分の重量は、前記フレーム／マスク組立体の４％乃至８％を有する、ことを特徴とする請求項１記載の陰極線管。
【請求項７】
互いに対する関係において可動の複数の部分は、同一のキャビティ内に配置される、ことを特徴とする請求項１記載の陰極線管。
【発明の詳細な説明】
【技術分野】
【０００１】
本発明は、カラー陰極線管に対するマスキング装置に係る。本発明は、色選択マスクを有するいずれの種類の管にも適用され、一体化されているフレームによって張力をかけられた状態に保持されたマスクを有する管にも適している。マスクは、加圧することによって形成されてから、フレーム組立体に溶接によって取り付けられる。
【背景技術】
【０００２】
従来の陰極線管は、管のガラスの前面の内側から正確な距離に位置付けられた色選択マスクを有する。前面上には、赤色、緑色、及び青色の発光団（ｌｕｍｉｎｏｐｈｏｒｅ）のネットワークがスクリーンを形成するよう置かれる。前述の前面は、管の長手方向軸Ｚに対して略垂直である。
【０００３】
マスクは、中央部分を多数の穴又はスロットで開けられた金属シートによって構成される。管の後方部分の内部に配置された電子銃は、前面の方向に３つの電子ビームを生成する。電磁偏向装置は、一般的には管の外側且つ電子銃に近接して位置決めされ、電子ビームを逸らせる機能を有し、ビームが上に発光団のネットワークを配置されたパネルの表面を通るようにさせる。所定の現色に夫々対応する３つの電子ビームの影響下で、発光団のネットワークは、画面上にカラーの画像を再生し、マスクは、夫々の所定のビームが対応する色の発光団のみを照射し得るようにする。
【０００４】
色選択マスクは、管の動作中、管内部の特定な位置に配置及び保持される。マスクがサポートする機能は、一般的には非常に剛性な矩形であり、上にマスクが従来は溶接された金属フレームによって実現される。フレーム／マスク組立体は、殆どの場合フレームに溶接されるサスペンション手段を使用して、また、管の前面を構成するガラスに挿入された突起と協働して、前面に取り付けられる。
【０００５】
更に平面である前面を有する管は、近年の傾向に対応しており、完全に平面である前面へと向かう展開を有している。かかる前面を有する管を実現するよう、少なくとも１つの方向に従った張力をかけられた状態を保持された、平らなマスクの使用からなる技術がある。かかる構造は、例えば米国特許第４８２７１７９号明細書（特許文献１）に記載される。
【０００６】
より従来的には、マスクは加圧することによって形成され得、その表面は、開口が開けられており、管のガラス前面の内部の湾曲に沿って僅かに湾曲される。マスクの周縁フランジは、開口を開けられた表面に対して垂直になるよう形成され、従来は、フレーム組立体の端部に溶接され、一般的には略Ｌ字型の断面を有する。
【０００７】
非常に薄い厚さの金属シートを有する色選択マスクは、その起動が管の動作中に前述のマスクの擬似振動現象を引き起こし得る。例えば、管が挿入されているテレビジョン受像機一式のラウドスピーカによる音響振動である外部衝撃又は機械的振動の影響下で、マスクは、それ自体の共振周波数に従って振動し始め得る。マスクの振動の影響は、管の画面上の電子ビームの到着域を修正する。故に各ビームの衝撃点は、関連付けられた発光団のネットワークに対して補正され、よって画面上に出現する画像の脱色を引き起こす。
【０００８】
現象は、また、加圧することによって形成されたマスクに対して生じ得る。これは、略平面である表面が、管の周辺で生成された振動現象によって影響されない十分な機械的強度を有さないためである。
【０００９】
特許文献１は、マスクの振動に対して減衰する手段をマスクの１つの面上に追加することを提案する。これらの手段は、開口を開けられていないマスクの周縁部分に既知の手法で配置される。しかしながら、かかる特許で実施される減衰装置は、複雑な構造を有し、実施が困難である。実際には、かかる装置は、マスクの表面がフレーム上で張力をかけられている際にマスクの表面上に据え付けられなければならない。即ち、実際には、マスクを構成する開口を開けられた薄い金属のシートの脆弱性は、フレーム上に取り付けられる前に追加的な構成部品がマスクの上に適合することを可能にしない。しかしながら、また、マスクの脆弱性は、その表面上に減衰手段を溶接することに対する問題を提起し得る。マスクの表面のすべての最終的な修正は、全体のマスキング装置が拒絶されることを引き起こし得る。更に、減衰構成要素がマスクの端部上にはんだ付けされる際、溶接の射出が作られ得、中心のマスクの表面の穴をふさぐ。これはまた、マスキング装置組立体が拒絶されることを引き起こし得る。
【特許文献１】米国特許第４８２７１７９号明細書
【発明の開示】
【発明が解決しようとする課題】
【００１０】
前述の発明の目的の１つは、カラー陰極線管マスキング装置を有する陰極線管を提案することである。該マスキング装置は、低コストであり、マスクの表面を損傷することなく適合することが容易であり、加圧することによって形成されたマスクと同様に張力をかけられたマスク組立体に適切である。
【課題を解決するための手段】
【００１１】
かかる目的に対し、本発明に従った陰極線管は、金属のシートの形状のカラー選択マスクを有する。該金属のシートは、略矩形であるフレーム組立体上に固定されるよう適合され、１組の短い平行な側と１組の長い平行な側とを有する。フレーム／マスク組立体は、管のガラスの前面の内側に配置される。フレームは、少なくとも２つの対向する側が少なくとも１つのキャビティを有し、そのうちの少なくとも１つの金属の部分は可動である、ことを特徴とする。
【発明を実施するための最良の形態】
【００１２】
本発明は、以下の説明及び図面からより深く理解される。
【００１３】
図１に図示する通り、本発明に従った陰極線管１は、略平面であるパネル２と周縁フランジ３を有する。パネルは、ガラス・フリットによって密閉されるファンネル４の形状である管の後方部分に接続される。管５の先端は、電子銃６を囲み、電子銃のビームは、色選択マスク８を介して発光性リン光体画面１３を照射する。該マスクは、例えばここでは、フレーム１９の長い側部の間で張力をかけられた平面である。フレーム／マスク組立体の金属サポートは、管内でかかる組立体を保持し、前述のサポートは、フレームに溶接された部分１０とスプリング１１を形成する一部を有することができ、ガラスの周縁フランジ３に有される突起１２と協働する開口を特徴とする。
【００１４】
図２に図示される従来技術の例では、フレーム１９は、一組の長い側部９と一組の短い側部７を有する。前述の長い側部及び短い側部は、例えばＬ字型の断面を有し、短い側部は、マスクに対して略平行である面７１を有する。マスク自体は略矩形の形状をなし、張力をかけられ、続いて、例えば、フレームの前述の長い側部の先端２０上に溶接することによってこの状態に保持される。
【００１５】
マスク８は、１００μｍのオーダの非常に薄い厚さをなす、鋼鉄又は不変鋼等の金属のシートを有する。マスクは、一般的には縦列で配置された開口を開けられた中央域３０と、中央域３０を取り囲む周縁域２８とを有する。周縁域は、例えば水平方向端部３１と垂直方向端部３２を有し、色選択には関わらない。
【００１６】
フレーム組立体上で張力をかけられる色選択マスクを使用する陰極線管の構造は、前述のマスクが、例えば管への機械的な振動又は前述の管の近くに配置されたラウドスピーカからの音響振動等の外部の振動を与えられる際、マスクに特有である状態に従って、かかるマスクの振動の問題に対応しなければならない。かかる振動は、マスクの表面に対して垂直な方向に従ったマスクの動きによって示される。マスクの開口と画面との距離は、前述のマスクの振動の振幅に従って局所的に変化する。従って、画面上に再生された色の純度は、すでに保証されない。画面上のビームの到着点は、振動の振幅及び振動しているマスクの域に従って補正される。即ち、例えば、かかる域は大きな値の入射角に続く電子ビームによって横断されるため、マスクの穴あけされた部分３０の端部の振動は画面上でより可視となる。
【００１７】
更に、マスクは、しっかりと真空にされた管内部に配置されるため、マスクの振動は非常にゆっくりと減衰されるのみであり、マスクに与えられたエネルギは、放散手段をほとんど有さず、このことが管が動作しているときの画面上の現象の可視性を高める。
【００１８】
同様の現象が、加圧することによって形成され、続いてフレームに溶接されたマスクに発生し得る。これは、特に、略平面の前面を有する管に対して発生する。色選択に関わるマスクの表面は、管の前面の内側面に続くため、マスクの表面の平坦さは、表面が機械的に剛性ではないばかりではなく、周囲の振動に敏感であることを意味する。
【００１９】
マスクの振動を低減するよう、従来技術では多種の装置が提案される。即ち、例えば欧州特許第１０８９３１１号明細書は、図３によって図解されるかかる装置を記載する。該装置は図３中、穴あけされていない部分２８内のマスク８の端部内にかかる表面に作られた開口４０を介してマスクの表面を横断するフック４１を配置することによる。マスクの振動エネルギは、マスクの表面上のフックの摩擦によって部分的に吸収される。
【００２０】
しかしながら、かかる構造は以下の複数の不利点を有する；
−  フックの重量はマスクを構成する金属のシートの機械的脆弱性により制限されるため、部分的にのみ効果的であり、
−  フックはマスク上に取り付けられるが、かかるマスクを破損する危険性を有して機械的に脆弱である。
【００２１】
本発明は、単純で経済的な構造を提案する。かかる構造は、マスクが一体化されたフレーム上に減衰装置を取り付けることによって、管の周囲によって生成されたマスクの振動を減衰することを容易に実行する。
【００２２】
図４は、本発明に従ったシャドーマスクフレーム組立体９０の第１の実施例の平面図である。
【００２３】
フレーム９０は、略矩形の形状と、一組の短い側部１００及び一組の長い側部１０１とを有する。短い側部は、略Ｌ字型の断面をなし、マスクの表面に対して略平行な第１のフランジ１００’と、第１のフランジに対して垂直であり、管の画面に向かって延びる第２のフランジ１００’’を提示する。
【００２４】
キャビティは、短い側部１２０に沿って実行され、前述の短い側部の略中央にあり、例えば、マスクの表面に対して平行なフランジ１００’をスタンピングすることによって実現される。かかる平行６面体の形状のキャビティは、部分１１５を受容することができるよう短い側に沿って延びる。即ち、キャビティはカバー１１２によって閉じられる。カバー１１２は、図６に示す通り、キャビティ１２０を部分的にのみ覆い、カバー１１２の開口１１１は、部分１１５をキャビティ１２０に保持するよう、部分１１５より小さい寸法をなす。図５は、フランジ１００’に対して垂直であり、短い側部１００の中央を通過する平面ＡＡ’の断面を図示する。部分１１５は、カバー１１２によってキャビティ１２０内に保持される。
【００２５】
フレーム／マスク組立体の取扱いをより単純にし、リスクを捕らえることによってかかる取扱いを妨げるような結果を防ぐよう、キャビティは、前述の組立体によって作られた体積の内部に向かって延びる。このように、マスクに対向するフレーム／マスク組立体の表面は、略平面を保つ。
【００２６】
カバー１１２によって一度閉じられたキャビティの体積は、有される部分１１５の体積よりも僅かに大きく保たれるため、かかる部分は動かないようにされる。本発明によれば、キャビティにおける部分１１５の機械的な遊びは、管の長手方向軸Ｚの方向に従っており、管の中間物寸法に対して、選択的には約１ｍｍである少なくとも０．５ｍｍのオーダ、即ち７０ｃｍのオーダで画面の対角線を有していなければならない。
【００２７】
部分１１５の重量は、画像画面（４／３又は１６／９）の形式、画面の寸法等のパラメータに従って調整されなければならず、実際は、マスクに張力がかけられるか否かのフレーム／マスクのシステムを有する。部分１１５に対し最大限の効率性が与えられることが示され、選択的には、フレーム／マスク組立体の重量に比例する重量を有さなければならない。故に、画面対角線が６８ｃｍで、約２ｋｇのフレーム／マスク組立体の重量である管に対し、フレームの各短い側部は、８０グラム乃至１６０グラムの重量である部分１１５を有することが望ましい。即ち、かかる重量は、画面形式が４／３又は１６／９のいずれであるか、及び／又はフレーム／マスクのシステムが張力をかけられたマスクの種類であるか否かに従って、フレーム／マスクの重量の４％乃至８％である。
【００２８】
図７及び図８によって図解される本発明の第２の実施例では、部分１１５を有するキャビティ１１０は、前述の部分を有するユニットケーシング１１６上に追加することによって、及びフレームに前述のケーシングを溶接することでケーシングを一体化させることによって、実現される。ケーシング１１６は、例えば、フランジ１００’に溶接され得るよう外に向かって折られた２つの対向する縁部１１７と、フレーム上に相を溶接する前にケーシングの内部で部分１１５をサポートするよう内側に折られた２つの縁部１１８とを有する。
【００２９】
ここに説明された実施例は制限的なものではない。フレームの側部に対し１つではなく複数のキャビティを有利に配置することが可能である。例えば、１つの側部に対して２つのキャビティは、夫々部分１１５を有し、主軸Ｚを有する平面に対して左右対称に配置され、前述の側部の中央を通過する。図５及び図７中の構造よりコストがかかるこの構造は、キャビティ内の部分の摩擦表面を増加させ、マスクの振動の可視の影響をより速く低減する、という利点を有する。互いに対して摺り合わせる表面を増加するという同一の趣旨において、１つの可動の部分１１５ではなく、複数の別個の部分を同一のキャビティ内でともに使用することが可能である。
【００３０】
同様に、フレームの長い側部上に位置決めされたキャビティを有する可動の部分を配置することも有利であり得る。
【図面の簡単な説明】
【００３１】
【図１】陰極線管の部分的分解図である。
【図２】従来技術に従った振動減衰を有さないフレーム／張力をかけられたマスクを図示する。
【図３】従来技術に従った振動減衰装置の一実施例の斜視図である。
【図４】本発明に従ったマスクフレーム組立体の前面図である。
【図５】本発明の第１の実施例の詳細を図解する。
【図６】本発明の第１の実施例の詳細を図解する。
【図７】本発明の他の実施例の詳細を図解する。
【図８】本発明の他の実施例の詳細を図解する。
【図１】
2006528832.tif 000003
【図２】
2006528832.tif 000004
【図３】
2006528832.tif 000005
【図４】
2006528832.tif 000006
【図５】
2006528832.tif 000007
【図６】
2006528832.tif 000008
【図７】
2006528832.tif 000009
【図８】
2006528832.tif 000010
【国際調査報告】
2006528832.tif 000011
2006528832.tif 000012
2006528832.tif 000013
2006528832.tif 000014